(57)【特許請求の範囲】
【請求項１】
棒状化粧料が収容される容器本体と、該容器本体に外嵌して容器本体上側の被覆蓋部を覆蓋する有天筒状のキャップとを備えて構成される棒状化粧料容器において、前記キャップの内側面に、被覆蓋部を覆蓋する中途覆蓋姿勢から直前覆蓋姿勢を経て全覆蓋姿勢に至るまでの覆蓋過程のあいだの中途覆蓋姿勢から少なくとも直前覆蓋姿勢に至るまで前記被覆蓋部が押圧状に摺接することで第一の摺動抵抗を付与する第一抵抗部と、直前覆蓋姿勢から全覆蓋姿勢に至るまで前記被覆蓋部が押圧状に摺接することで前記第一の摺動抵抗よりも大きい第二の摺動抵抗を付与する第二抵抗部とが形成された棒状化粧料容器とするにあたり、
キャップは、外面を構成するキャップ本体と、該キャップ本体に内嵌され、第一抵抗部および第二抵抗部が形成されたインナーキャップとを備えて構成されており、
第二抵抗部は、第一抵抗部よりもキャップ内側への突出量が大きく、かつ周回り方向の幅が広幅となることで移動抵抗が第一抵抗部よりも大きくなるように設定されていることを特徴とする棒状化粧料容器。
【請求項２】
第一抵抗部、第二抵抗部は、インナーキャップの筒天部内側面に形成されていて、容器本体の被覆蓋部先端部外側面が摺接するように構成されていることを特徴とする請求項１記載の棒状化粧料容器。
【請求項３】
インナーキャップには、細筒部と太筒部とが上下に形成され、被覆蓋部には、細筒部と太筒部とが上下に形成されていて、インナーキャップで被覆蓋部の覆蓋ができるものとし、インナーキャップの細筒部に、被覆蓋部の細筒部が摺接する第一抵抗部が形成され、インナーキャップの太筒部に、被覆蓋部の太筒部が摺接する第二抵抗部が形成されていることを特徴とする請求項１または２記載の棒状化粧料容器。
【請求項４】
インナーキャップには、細筒部と太筒部とが上下に形成され、被覆蓋部には、細筒部と太筒部とが上下に形成されていて、インナーキャップで被覆蓋部の覆蓋ができるものとし、インナーキャップの太筒部に、被覆蓋部の太筒部が摺接する第一抵抗部および第二抵抗部が形成されていることを特徴とする請求項１または２記載の棒状化粧料容器。
【請求項５】
インナーキャップには、細筒部と太筒部とが上下に形成され、被覆蓋部には、細筒部と太筒部とが上下に形成されていて、インナーキャップで被覆蓋部の覆蓋ができるものとし、インナーキャップの太筒部に、被覆蓋部の太筒部が摺接する第一抵抗部が形成され、インナーキャップの細筒部に、被覆蓋部の細筒部が摺接する第二抵抗部が形成されていることを特徴とする請求項１または２記載の棒状化粧料容器。
【請求項６】
インナーキャップおよび被覆蓋部の細筒部、太筒部は何れも円筒であることを特徴とする請求項３乃至５の何れか１記載の棒状化粧料容器。
【請求項７】
インナーキャップおよび被覆蓋部の細筒部は円筒であり、インナーキャップおよび被覆蓋部の太筒部は角筒であることを特徴とする請求項３乃至５の何れか１記載の棒状化粧料容器。
【請求項８】
第一抵抗部および／または第二抵抗部は、角筒の角部に偏寄した位置に形成されていることを特徴とする請求項７記載の棒状化粧料容器。
【請求項９】
第一抵抗部および／または第二抵抗部は、角筒の角部を挟んで左右両側に一対が形成されていることを特徴とする請求項８記載の棒状化粧料容器。
【請求項１０】
角筒は四角筒であり、第一抵抗部および／または第二抵抗部が偏寄する角部は、互いに対角位置にある少なくとも一対の角部であることを特徴とする請求項８または９に記載の棒状化粧料容器。
【請求項１１】
第一抵抗部は、角筒の角部に偏寄した位置に形成され、第二抵抗部は、角筒の隣接角部間の中央部位に形成されていることを特徴とする請求項７記載の棒状化粧料容器。
【請求項１２】
第一抵抗部と第二抵抗部とは、同一の隣接角部間に形成され、第一抵抗部は、第二抵抗部と角部とのあいだにそれぞれ形成されていることを特徴とする請求項１１記載の棒状化粧料容器。
【請求項１３】
角筒は四角筒であり、第一抵抗部と第二抵抗部とが形成される隣接角部間は互いに対向位置にある少なくとも一対の面部であることを特徴とする請求項１１または１２記載の棒状化粧料容器。
【請求項１４】
インナーキャップの第一抵抗部および／または第二抵抗部が形成された部位とキャップ本体とのあいだに隙間が存するように構成し、該隙間が、第一抵抗部および／または第二抵抗部に容器本体が押圧状に摺接することに基づくインナーキャップの拡開変形を許容するための変形代になっていることを特徴とする請求項１乃至１３の何れか１記載の棒状化粧料容器。
【請求項１５】
インナーキャップの少なくとも第二抵抗部が形成される部位には第二抵抗部を補強するための補強部が形成されていることを特徴とする請求項１乃至１４の何れか１記載の棒状化粧料容器。
【請求項１６】
補強部には、少なくとも第二抵抗部の変形代を確保するよう第二抵抗部が補強部からはみ出す部位があることを特徴とする請求項１５記載の棒状化粧料容器。
【請求項１７】
キャップには、キャップが被覆蓋部を覆蓋する覆蓋過程において、第一抵抗部と第二抵抗部とのあいだに、被覆蓋部が摺接する第三抵抗部が形成されていることを特徴とする請求項１乃至１６の何れか１記載の棒状化粧料容器。
【請求項１８】
インナーキャップの第三抵抗部が形成された部位とキャップ本体とのあいだに隙間が存するように構成し、該隙間が、第三抵抗部に容器本体が摺接することに基づくインナーキャップの拡開変形を許容するための変形代になっていることを特徴とする請求項１７記載の棒状化粧料容器。
【請求項１９】
インナーキャップの第三抵抗部が形成される部位には第三抵抗部を補強するための補強部が形成されていることを特徴とする請求項１７または１８記載の棒状化粧料容器。
【発明の詳細な説明】
【技術分野】
【０００１】
本発明は、口紅等の棒状（スティック状）の化粧料を収納するための棒状化粧料容器の技術分野に属するものである。
【背景技術】
【０００２】
一般に、この種の棒状化粧料容器は、棒状化粧料が収容される容器本体の上端部にキャップを外嵌して覆蓋することになるが、このもののなかには、覆蓋時の安定感を付与するため、キャップを構成するインナーキャップに肉厚部を形成し、該肉厚部を、キャップが全覆蓋する以前の直前位置から全覆蓋する過程で、容器本体上端部の外周面に形成された凸リブが乗り越えることで移動抵抗を付与し、これによってキャップが全覆蓋状態になったことを意識させるようにしたものが知られている（特許文献１）。
【特許文献１】特許第３１５３９９２号公報
【発明の開示】
【発明が解決しようとする課題】
【０００３】
ところが容器本体上端部は、キャップをはずしたとき露出することになるが、この露出する容器本体上端部の外周面に形成した凸リブもそのまま視認されることになり、高級感に欠けるものとなっていた。その上、該凸リブは外周面側に突出していることから、凸リブの立ち上がり縁部に汚れ（例えば化粧料自体）が溜まり易く、しかもその溜まった汚れが取れにくいものとなって、外観上好ましくないものとなっており、これらに本発明が解決せんとする課題がある。
【課題を解決するための手段】
【０００４】
本発明は、上記の如き実情に鑑みこれらの課題を解決することを目的として創作されたものであって、請求項１の発明は、棒状化粧料が収容される容器本体と、該容器本体に外嵌して容器本体上側の被覆蓋部を覆蓋する有天筒状のキャップとを備えて構成される棒状化粧料容器において、前記キャップの内側面に、被覆蓋部を覆蓋する中途覆蓋姿勢から直前覆蓋姿勢を経て全覆蓋姿勢に至るまでの覆蓋過程のあいだの中途覆蓋姿勢から少なくとも直前覆蓋姿勢に至るまで前記被覆蓋部が押圧状に摺接することで第一の摺動抵抗を付与する第一抵抗部と、直前覆蓋姿勢から全覆蓋姿勢に至るまで前記被覆蓋部が押圧状に摺接することで前記第一の摺動抵抗よりも大きい第二の摺動抵抗を付与する第二抵抗部とが形成された棒状化粧料容器とするにあたり、キャップは、外面を構成するキャップ本体と、該キャップ本体に内嵌され、第一抵抗部および第二抵抗部が形成されたインナーキャップとを備えて構成されており、第二抵抗部は、第一抵抗部よりもキャップ内側への突出量が大きく、かつ周回り方向の幅が広幅となることで移動抵抗が第一抵抗部よりも大きくなるように設定されていることを特徴とする棒状化粧料容器である。
請求項２の発明は、第一抵抗部、第二抵抗部は、インナーキャップの筒天部内側面に形成されていて、容器本体の被覆蓋部先端部外側面が摺接するように構成されていることを特徴とする請求項１記載の棒状化粧料容器である。
請求項３の発明は、インナーキャップには、細筒部と太筒部とが上下に形成され、被覆蓋部には、細筒部と太筒部とが上下に形成されていて、インナーキャップで被覆蓋部の覆蓋ができるものとし、インナーキャップの細筒部に、被覆蓋部の細筒部が摺接する第一抵抗部が形成され、インナーキャップの太筒部に、被覆蓋部の太筒部が摺接する第二抵抗部が形成されていることを特徴とする請求項１または２記載の棒状化粧料容器である。
請求項４の発明は、インナーキャップには、細筒部と太筒部とが上下に形成され、被覆蓋部には、細筒部と太筒部とが上下に形成されていて、インナーキャップで被覆蓋部の覆蓋ができるものとし、インナーキャップの太筒部に、被覆蓋部の太筒部が摺接する第一抵抗部および第二抵抗部が形成されていることを特徴とする請求項１または２記載の棒状化粧料容器である。
請求項５の発明は、インナーキャップには、細筒部と太筒部とが上下に形成され、被覆蓋部には、細筒部と太筒部とが上下に形成されていて、インナーキャップで被覆蓋部の覆蓋ができるものとし、インナーキャップの太筒部に、被覆蓋部の太筒部が摺接する第一抵抗部が形成され、インナーキャップの細筒部に、被覆蓋部の細筒部が摺接する第二抵抗部が形成されていることを特徴とする請求項１または２記載の棒状化粧料容器である。
請求項６の発明は、インナーキャップおよび被覆蓋部の細筒部、太筒部は何れも円筒であることを特徴とする請求項３乃至５の何れか１記載の棒状化粧料容器である。
請求項７の発明は、インナーキャップおよび被覆蓋部の細筒部は円筒であり、インナーキャップおよび被覆蓋部の太筒部は角筒であることを特徴とする請求項３乃至５の何れか１記載の棒状化粧料容器である。
請求項８の発明は、第一抵抗部および／または第二抵抗部は、角筒の角部に偏寄した位置に形成されていることを特徴とする請求項７記載の棒状化粧料容器である。
請求項９の発明は、第一抵抗部および／または第二抵抗部は、角筒の角部を挟んで左右両側に一対が形成されていることを特徴とする請求項８記載の棒状化粧料容器である。
請求項１０の発明は、角筒は四角筒であり、第一抵抗部および／または第二抵抗部が偏寄する角部は、互いに対角位置にある少なくとも一対の角部であることを特徴とする請求項８または９に記載の棒状化粧料容器である。
請求項１１の発明は、第一抵抗部は、角筒の角部に偏寄した位置に形成され、第二抵抗部は、角筒の隣接角部間の中央部位に形成されていることを特徴とする請求項７記載の棒状化粧料容器である。
請求項１２の発明は、第一抵抗部と第二抵抗部とは、同一の隣接角部間に形成され、第一抵抗部は、第二抵抗部と角部とのあいだにそれぞれ形成されていることを特徴とする請求項１１記載の棒状化粧料容器である。
請求項１３の発明は、角筒は四角筒であり、第一抵抗部と第二抵抗部とが形成される隣接角部間は互いに対向位置にある少なくとも一対の面部であることを特徴とする請求項１１または１２記載の棒状化粧料容器である。
請求項１４の発明は、インナーキャップの第一抵抗部および／または第二抵抗部が形成された部位とキャップ本体とのあいだに隙間が存するように構成し、該隙間が、第一抵抗部および／または第二抵抗部に容器本体が押圧状に摺接することに基づくインナーキャップの拡開変形を許容するための変形代になっていることを特徴とする請求項１乃至１３の何れか１記載の棒状化粧料容器である。
請求項１５の発明は、インナーキャップの少なくとも第二抵抗部が形成される部位には第二抵抗部を補強するための補強部が形成されていることを特徴とする請求項１乃至１４の何れか１記載の棒状化粧料容器である。
請求項１６の発明は、補強部には、少なくとも第二抵抗部の変形代を確保するよう第二抵抗部が補強部からはみ出す部位があることを特徴とする請求項１５記載の棒状化粧料容器である。
請求項１７の発明は、キャップには、キャップが被覆蓋部を覆蓋する覆蓋過程において、第一抵抗部と第二抵抗部とのあいだに、被覆蓋部が摺接する第三抵抗部が形成されていることを特徴とする請求項１乃至１６の何れか１記載の棒状化粧料容器である。
請求項１８の発明は、インナーキャップの第三抵抗部が形成された部位とキャップ本体とのあいだに隙間が存するように構成し、該隙間が、第三抵抗部に容器本体が摺接することに基づくインナーキャップの拡開変形を許容するための変形代になっていることを特徴とする請求項１７記載の棒状化粧料容器である。
請求項１９の発明は、インナーキャップの第三抵抗部が形成される部位には第三抵抗部を補強するための補強部が形成されていることを特徴とする請求項１７または１８記載の棒状化粧料容器である。
【発明の効果】
【０００５】
請求項１の発明とすることで、容器本体の被覆蓋部をキャップで覆蓋するとき、初めは小さい第一の摺動抵抗、次いで大きい第二の摺動抵抗が付与される状態になって全覆蓋をするものでありながら、これら摺動抵抗は、容器本体がキャップ内側面に形成の第一、第二抵抗部に押圧状に摺接することで付与されるため、容器本体外側面は、凸リブがないすっきりとしたストレート形状にできることになって外観的に優れ、汚れが溜まってしまうこともない。しかも第一、第二抵抗部があるキャップを簡単に構成することができると共に、大きさが異なる第一、第二の摺動抵抗を簡単に付与することができる。
請求項２の発明とすることで、第一、第二抵抗部がともにインナーキャップの筒天部に形成されることになり、第一、第二抵抗部を外部から視認されることのないものとすることができる。
請求項３の発明とすることで、第一抵抗部と第二抵抗部とがそれぞれインナーキャップ内の細筒部と太筒部とに形成されるため、インナーキャップの異なる位置で摺動抵抗を付与することができて、容器本体を外観的に優れたものとしながら、安定した抵抗を付与することができる。
請求項４の発明とすることで、第一抵抗部と第二抵抗部とが共にインナーキャップの太筒部に形成されるため、被覆蓋部の先端が傾斜状であっても確実な第一、第二の摺動抵抗を被覆蓋部に付与することが出来る。
請求項５の発明とすることで、第一抵抗部と第二抵抗部とがそれぞれインナーキャップ内の太筒部と細筒部とに形成されるため、インナーキャップの異なる位置で摺動抵抗を付与することができて、容器本体を外観的に優れたものとしながら、安定した抵抗を付与することができる。
請求項６の発明とすることで、インナーキャップおよび被覆蓋部に形成される細筒部と太筒部とを円筒形状で構成したものであっても、安定した摺動抵抗を付与することができる。
請求項７の発明とすることで、インナーキャップおよび被覆蓋部の細筒部を円筒形状とし、太筒部を角筒としたものであっても、安定した摺動抵抗を付与することができる。
請求項８の発明とすることで、角筒に形成された第一抵抗部および／または第二抵抗部を変形の生じにくいものにすることができる。
請求項９の発明とすることで、角筒に形成された第一抵抗部および／または第二抵抗部が被覆蓋部に対して確りとした摺動抵抗を付与することができる。
請求項１０の発明とすることで、角筒に形成された第一抵抗部および／または第二抵抗部が被覆蓋部に対してバランスの良い摺動抵抗を付与することができる。
請求項１１の発明とすることで、角筒に第一抵抗部と第二抵抗部をバランス良く配することができて、安定した摺動抵抗を付与することができる。
請求項１２の発明とすることで、第一抵抗部と第二抵抗部とが近接位置となるため、キャップを容器本体に覆蓋する際、第一抵抗部における摺動から第二抵抗部における摺動への移行が滑らかに行われ、操作性の良いものとすることができる。また、第一抵抗部と第二抵抗部とは、互いに隣接する角部間に左右対称形に配されるため、バランスの良い摺動抵抗とすることができる。
請求項１３の発明とすることで、摺動抵抗をさらにバランス良く配されたものとすることができる。
請求項１４の発明とすることで、キャップで覆蓋する際に第一および第二の抵抗を付与する第一および第二抵抗部がありながら、容器本体が第一および第二抵抗部を押圧状に摺接したときの拡開変形をインナーキャップとキャップ本体とのあいだに形成される隙間によって吸収して許容できることになって、容器本体へのキャップの覆蓋をスムーズに行うことができる。
請求項１５の発明とすることで、少なくとも拡開変形する第二抵抗部が隙間のある側で補強されることになって、キャップの覆蓋を繰返すことで少なくとも抵抗が大きい第二抵抗部が元の姿勢に戻らなくなってしまうことを防止し、長期に亘って抵抗部としての機能が失われないものとすることができる。
請求項１６の発明とすることで、補強部が少なくとも第二抵抗部の拡開変形の邪魔になることを回避して、第二抵抗部において確実にキャップと容器本体とに摺動抵抗を付与することができる。
請求項１７の発明とすることで、キャップの内側面にあって容器本体の被覆蓋部が、キャップの第一抵抗部に摺接してから第二抵抗部に摺接するまでのあいだに第三抵抗部に摺接することになって、第三抵抗部が形成された部位の拡開変形を防止することができる。
請求項１８の発明とすることで、容器本体をキャップで覆蓋する際に第三の抵抗を付与する第三抵抗部が、容器本体との摺接によって拡開変形したときに該拡開変形をインナーキャップとキャップ本体とのあいだに形成される隙間によって吸収することで許容することができて、インナーキャップの容器本体への覆蓋をスムーズに行うことができる。
請求項１９の発明とすることで、拡開変形する第三抵抗部が、キャップの覆蓋を繰返すことで第三抵抗部が拡開変形した状態から元の姿勢に戻らなくなってしまうことを防止し、長期に亘って第三抵抗部としての機能が失われないようにすることができる。
【図面の簡単な説明】
【０００６】
【図１】容器本体がキャップに全覆蓋された状態を示す縦断面図である。
【図２】（Ａ）〜（Ｅ）は、キャップを覆蓋する過程を示す要部拡大縦断面図である。
【図３】（Ａ）、（Ｂ）は、インナーキャップの縦断面図および横断面図である。
【図４】（Ａ）、（Ｂ）は、インナーキャップの第二の実施の形態を示す縦断面図および横断面図である。
【図５】（Ａ）、（Ｂ）は、インナーキャップの第三の実施の形態を示す縦断面図および横断面図である。
【図６】（Ａ）〜（Ｄ）は、インナーキャップの第四〜第七の実施の形態を示す縦断面図および底面図である。
【図７】（Ａ）〜（Ｃ）は、インナーキャップの第八〜第十の実施の形態を示す縦断面図および底面図である。
【図８】（Ａ）、（Ｂ）は、インナーキャップの第十一の実施の形態を示す斜視図および縦断面図である。
【図９】インナーキャップがキャップ本体に内嵌した状態の第十一の実施の形態を示す縦断面図である。
【図１０】（Ａ）〜（Ｄ）は、インナーキャップの第十二〜第十五の実施の形態を示す斜視図である。
【図１１】（Ａ）、（Ｂ）は、インナーキャップの第十六の実施の形態を示す斜視図および底面図である。
【図１２】（Ａ）、（Ｂ）は、第十六の実施の形態におけるキャップを覆蓋する過程を示す要部拡大縦断面図である。
【図１３】第十七の実施の形態における容器本体の斜視図及びキャップの断面図である。
【図１４】（Ａ）、（Ｂ）は、第十七の実施の形態における容器本体上部とインナーキャップであって、（Ａ）は覆蓋前および覆蓋後の斜視図、（Ｂ）は覆蓋された状態の縦断面図である。
【図１５】（Ａ）、（Ｂ）は、それぞれ第十七の実施の形態における把持部と第一凸部との関係を示す縦断面図である。
【図１６】（Ａ）、（Ｂ）は、それぞれ第十七の実施の形態におけるインナーキャップの底面図、Ｘ−Ｘ断面図である。
【図１７】（Ａ）〜（Ｃ）は、それぞれ第十八、第十九、第二十の実施の形態を示すインナーキャップの底面図である。
【図１８】（Ａ）は、第二十一の実施の形態におけるインナーキャップの底面断面図、（Ｂ）は、インナーキャップが容器本体を覆蓋した様子を示す底面断面図、（Ｃ）は第二十一の実施の形態の変形例を示すインナーキャップの底面断面図である。
【図１９】（Ａ）〜（Ｄ）は、第二十一の実施の形態におけるキャップを覆蓋する過程を示す要部拡大縦断面図である。
【図２０】（Ａ）、（Ｂ）は、第二十二の実施の形態を示す底面図および縦断面図である。
【図２１】（Ａ）〜（Ｃ）は、それぞれ第二十三、第二十四、第二十五の実施の形態を示す底面図である。
【図２２】（Ａ）〜（Ｃ）は、それぞれ第二十六の実施の形態を示す底面図、Ａ−Ａ断面図、Ｂ−Ｂ断面図である。
【図２３】（Ａ）、（Ｂ）は、第二十七の実施の形態におけるインナーキャップの底面断面図およびＹ−Ｙ側面断面図である。
【図２４】（Ａ）〜（Ｄ）は、第二十七の実施の形態におけるキャップを覆蓋する過程を示す要部拡大縦断面図である。
【発明を実施するための形態】
【０００７】
次に本発明の第一の実施形態を図面に基づいて説明する。
図１に示す１は容器本体であって、該容器本体１は、有底筒状の基筒２と、この基筒２の上側に位置して側面が上部に向けて階段状に小径となった段差部３ａを有する筒状の袴筒３とを備えて構成されるが、該袴筒３の内周面側には、円筒状の把持筒４が基筒２及び袴筒３に対して縦軸周りに回動自在に組付けられている。
【０００８】
一方、基筒２の内側には有底筒状の台座部５が固着されているが、この台座部５の上端部５ａは袴筒３と把持筒４とのあいだに挟持される状態で前記段差部３ａ近傍にまで至るように延設されている。尚、６は台座部５、袴筒３、基筒２を固定するための固定筒である。
また、前記把持筒４の内周面側には、内面に螺旋溝７ａが刻設された螺旋筒７が一体的に止着されているが、螺旋筒７の内周面側には、縦軸方向に長いガイド孔８ａが穿設された中筒８が嵌着している。この中筒８は、台座部５に固着しており基筒２と一体的に回動するように構成されている。
【０００９】
さらに中筒８の内周面側には、前記ガイド孔８ａを貫通して螺旋溝７ａに係合する突起９ａが突設された中皿体９が上下方向移動自在に設けられている。この中皿体９には、棒状化粧料（図示省略）を収容するための収容部９ｂが形成されている。そして基筒２に対して把持筒４を相対回動させると、中皿体９は、ガイド孔８ａに沿って回転規制される状態で突起９ａが螺旋溝７ａを摺動案内されることにより中筒８内を上下移動するようになっている。
【００１０】
一方、１０は容器本体１の上端部に外嵌して該容器本体１を覆蓋するためのキャップであって、該キャップ１０は、有天筒状をしたキャップ本体１１と、該キャップ本体１１の内側に抜止め状に止着される有天筒状のインナーキャップ１２とを備えて構成されるが、該インナーキャップ１２の上部外周面は、キャップ本体１１の内周面に対して隙間Ｓを存するように設定されている。そしてキャップ１０は、インナーキャップ１２内に把持筒４を内嵌するようにして嵌め込むことで前記覆蓋がなされるようになっている。因みにこのものでは、キャップ１０を全覆蓋した場合に、キャップ本体１１の開口端１１ａが前記段差部３ａに当接して閉鎖状態となり、この状態では、把持部先端４ａはインナーキャップ１２の最奥端部１２ａとは離間する設定になっている。
【００１１】
図２に示すように、前記インナーキャップ１２は前記把持筒４を遊嵌できる寸法設定、つまりインナーキャップ１２の内径は把持筒４の外径よりも少し大きい設定になっているが、インナーキャップ１２の内周面には、容器本体１の覆蓋部（被覆蓋部）を覆蓋する際の中途位置（中途覆蓋姿勢）から直前位置（直前覆蓋姿勢）を経て全覆蓋（全覆蓋姿勢）する過程の中途位置から全覆蓋する過程において、把持筒４の先端４ａおよび外周面４ｂが摺接する第一凸部（本発明の第一抵抗部に相当する）１２ｂと、直前位置から全覆蓋する過程において、把持筒４の先端４ａおよび外周面４ｂが摺接する第二凸部（本発明の第二抵抗部に相当する）１２ｃとが突出形成されている。第一凸部１２ｂは、本実施の形態では所定角度を存して対向する一対の凸条が１８０度の角度を存して対称状に設けられることで都合４本が設けられているが、第二凸部１２ｃは、前記一対の第一凸部１２ｂのあいだに位置するようにして設けられる凸条であって、都合２本が設けられている。この場合に、第二凸部１２ｃは、内径側への突出量を第一凸部１２ｂよりも大きくすることで把持筒４が第一凸部１２ｂを摺動しながら移動するときの移動抵抗（摺動抵抗）よりも大きくなるように設定されていると共に、例えば図２から明らかなように、周回り方向の幅が第一凸部１２bよりも広幅になっている。
【００１２】
そしてキャップ１０で容器本体１を覆蓋していった場合に、把持筒４の先端４ａが第一凸部１２ｂに達するまではインナーキャップ１２に遊嵌することになって抵抗のない覆蓋になるが（図２（Ａ）参照）、把持筒４の先端４ａが第一凸部１２ｂに到達すると、先端４ａが第一凸部１２ｂを外径方向に押しやりながら摺動する状態となって第一の移動抵抗が付与される（図２（Ｂ）参照）。この第一の移動抵抗が付与された状態でさらに覆蓋していくと、把持筒４の先端４ａが第二凸部１２ｃに達することになるが（図２（Ｃ）参照）、そうすると今度は突出量が大きい第二凸部１２ｃを外径方向に押しやりながら摺動する状態となって第一の移動抵抗よりも大きい第二の移動抵抗が付与され（図２（Ｄ）参照）、この第二の移動抵抗が付与された状態でさらに覆蓋していくと全覆蓋することになる（図２（Ｅ）参照）。前記第二の移動抵抗が付与されることで意図的に覆蓋しようとする覆蓋力（操作力）が大きくなり、これによって全覆蓋したとき、キャップ本体１１の開口端１１ａが段差部３ａに衝突することになって「パチン」という軽快な閉鎖音（クリック音）が発生し、キャップ１０が全覆蓋状態になったことを手の感覚だけでなく聴覚においても確認できるようになっている。
【００１３】
ここで、インナーキャップ１２は可撓性がある物質、例えば、低密度ポリエチレンからなり、前記第一、第二の移動抵抗が付与される場合、第一、第二凸部１２ｂ、１２ｃは外径方向に押しやられることになってインナーキャップ１２は楕円形状に変形して押圧状態を保つことになるが（図３（Ａ）、（Ｂ）参照）、この変形は前述したキャップ本体１１とのあいだに設けた隙間Ｓで吸収されるようになっている。さらに第一、第二凸部１２ｂ、１２ｃの下端部（覆蓋過程で把持筒先端４ａが最初に当接する部分）は円弧状でかつ下端側ほど低くなるように設定されており、これによって容器本体１をキャップ１０で覆蓋する際、把持筒先端４ａがスムーズに第一、第二凸部１２ｂ、１２ｃを押しやって乗り越えられるように設定されている。尚、第二凸部１２ｃのうち、把持筒４の先端４ａが摺接する部位である摺接面１２ｄは、周回り方向が内周面に沿って円弧状の凹形状となっている。
【００１４】
叙述の如く構成された本発明の実施の形態において、キャップ１０で容器本体１を覆蓋していく場合に、容器本体１の上端部１ａ（把持筒４の先端４ａ）が該キャップ１０を構成しているインナーキャップ１２に形成の第一凸部１２ｂにまず摺接して小さい第一の移動抵抗が付与され、ついで第二凸部１２ｃに摺接して大きい第二の移動抵抗が付与されることになり、これによって全体としてバランスの取れた大小二段の抵抗を受けつつキャップ１０が容器本体１を全覆蓋することになり、安定感がある全覆蓋がなされる。そして全覆蓋する場合に、その直前位置で大きい第二の移動抵抗に抗するよう強い覆蓋力で覆蓋操作するため、その勢いでキャップ本体１１の開口端１１ａが容器本体１側の段差部３ａに衝撃的に当接することになって「パチン」という心地よい衝突音が発せられて全覆蓋したことを認識することができる。
【００１５】
このように、キャップ１０を覆蓋する過程で、小さい第一の移動抵抗と大きい第二の移動抵抗とが段階的に付与されることになって安定したキャップ１０の覆蓋ができるものであるが、このものでは、第一、第二凸部１２ｂ、１２ｃをインナーキャップ１２に形成し、前記覆蓋過程で該第一、第二凸部１２ｂ、１２ｃを容器本体１の上端部１ａが押圧状に摺接しながら移動することで第一、第二の移動抵抗が付与されることになり、この結果、容器本体の把持筒４に、汚れが溜まりやすい凸リブを形成する必要がなくなってストレート形状にでき、外観がすっきりした高級感にあふれたものにできる。
【００１６】
しかもこのものでは、キャップ１０が、開口端１１ａが形成されたキャップ本体１１と、該キャップ本体１１に内嵌され、前述した第一、第二凸部１２ｂ、１２ｃが形成されたインナーキャップ１２とから構成されているので、第一、第二凸部１２ｂ、１２ｃを簡単に形成することができる。そしてこの場合に、第二凸部１２ｃの突出量を第一凸部１２ｂよりも大きくすることで大きさが異なる第一、第二の摺動抵抗が付与されたものになるため、これらの構成も簡単にできる。
【００１７】
尚、本発明は前記実施の形態に限定されないことは勿論であって、キャップとしては、容器本体を覆蓋する中途位置から直前位置を経て全覆蓋するまでの過程のあいだの中途位置に少なくともあって前記容器本体１の上端部１ａが押圧状に摺接することで第一の移動抵抗を付与する第一抵抗部と、容器本体を覆蓋する直前位置に少なくともあって、前記本体上端部が押圧状に摺接することで前記第一の移動抵抗よりも大きい第二の移動抵抗を付与する第二抵抗部とが形成されているものであればよいのであって、キャップはキャップ本体とインナーキャップとが一体化したものであってもよく、また、第一、第二の移動抵抗を与えるための抵抗部としては、例えば図４、５に示すようなバリエーションとすることが可能である。
【００１８】
図４、５において示す第二、第三の実施の形態のものは、第一凸部１２ｂと第二凸部１２ｃの設けられる位置は図３に示す第一の実施の形態と同じであるが、第二凸部１２ｃの容器本体１との摺接面１２ｄは、第一の実施の形態においてはインナーキャップ１２の内周面に沿った凹形状であるのに対し、図４のものは第二凸部１２ｃがインナーキャップ１２の周回り方向に円弧状の凸形状（扇状）に突出形成されたものであり、また、図５のものは第二凸部１２ｃの摺接面１２ｄがインナーキャップ１２の周回り方向に矩形状に突出形成されたものである。
【００１９】
さらに、図６（Ａ）に示す第四の実施の形態のものは第一凸部１２ｂと第二凸部１２ｃとがインナーキャップ１２の内周面に軸方向に直線状に設けられたものである。図６（Ｂ）に示す第五の実施の形態ものは第一凸部１２ｂと第二凸部１２ｃとが周回り方向等角度おきに設けられたものである。図６（Ｃ）に示す第六の実施の形態ものは第一凸部１２ｂを軸方向に長い形状とし、第二凸部１２ｃを周方向に長い形状としたものである。図６（Ｄ）に示す第七の実施の形態のものは前記図６（Ａ）に示すものと同様、第一、第二凸部１２ｂ、１２ｃが軸方向直線状に形成されているが、第二凸部１２ｃの周回り方向の幅が広くなったのものである。
【００２０】
さらに、図７（Ａ）に示す第八の実施の形態のものは一対の第一凸部１２ｂに挟まれて形成される第二凸部１２ｃが周回り方向に二分割された山形状になったものである。さらに図７（Ｂ）に示す第九の実施の形態のものは、一対の第一凸部１２ｂのあいだに挟まれて形成される第二凸部１２ｃの周囲を切り込んで舌片１２ｅにしたものであって、第二凸部１２ｃが容器本体１の上端部１ａに押圧されることで外径方向に退避するときの弾性を第二の移動抵抗として利用したものである。また図７（Ｃ）に示す第十の実施の形態のものは、第一凸部１２ｂが軸方向線上であるのに対し、第二凸部１２ｃが周回り方向リング状に形成されたものである。
【００２１】
また、図８（Ａ）、（Ｂ）に示す第十一の実施の形態のものは、インナーキャップ１２の第一、第二凸部１２ｂ、１２ｃが形成された面部の外周面部位からインナーキャップ１２の外側上部である天井部１２ｆに向けて小径状部１２ｇが傾斜状に面取り形成されており、これによってインナーキャップ１２がキャップ本体１１に内嵌した状態では、図９に示すように、キャップ本体１１の内周面とのあいだに隙間Ｓが形成される。そして、容器本体１の外周面４ｂが第一および第二凸部１２ｂ、１２ｃに押圧状に摺接したとき、該第一、第二凸部１２ｂ、１２ｃは内周面側から外周面側に向けて強制的に膨張する拡開変形をすることになるが、この拡開変形を前記隙間Ｓが変形代となって吸収することになり、この結果、該第一、第二凸部１２ｂ、１２ｃをインナーキャップ１２に設けながら、キャップ１０の覆蓋操作が損なわれることがない。
【００２２】
しかもこのものでは、小径状部１２ｇが形成される面部に、第二凸部１２ｃを補強するための補強リブ１２ｈが上下方向に長い状態で突出形成されていて、キャップ１０の覆蓋を繰返すことで抵抗が大きい第二凸部１２ｃが、頻度の高い使用やキャップ覆蓋状態で高温雰囲気下に置かれたことで第二抵抗を付与する姿勢状態に戻らなくなって拡開変形したままの状態（永久変形状態）になってしまうことを防止し、長期に亘って第二凸部１２ｃとしての機能が失われないものとすることができる。
そしてこのものでは、補強リブ１２ｈが、第二凸部１２ｃに対して周回り方向に幅狭なものとなっていて、第二凸部１２ｃが補強リブ１２ｈからはみ出すように設定されているから、該第二凸部１２ｃのはみ出し部位に第二凸部１２ｃの変形代が確保されることになって補強リブ１２ｈが第二凸部１２ｃの前記拡開変形の邪魔をすることがなく、第二抵抗を確実に付与することになる。
【００２３】
ここで補強部としては、前記補強リブ１２ｈのように、小径状部１２ｇ上に一本のみ形成されていて第二凸部１２ｃのみの補強をするものに限定される必要はなく、図１０（Ａ）に示す第十二の実施の形態のように、補強リブ１２ｉが複数形成されたものであってもよい。そしてこのものでは、補強リブ１２ｉは、第一、第二凸部１２ｂ、１２ｃをそれぞれ補強するように設定されているが、この場合に、第一凸部１２ｂを補強する左右両側のものは上下方向に短くかつ幅狭であり、第二凸部１２ｃを補強する中央側のものは上下方向に長くかつ幅広に形成してある。また図１０（Ｂ）に示す第十三の実施の形態のものは、複数の補強リブ１２ｊが、インナーキャップ１２の周回り方向に長いものになっているが、このものは天井部１２ｆに近い側の補強リブ１２ｊが周回り方向に長いものとなっていて、第一、第二凸部１２ｂ、１２ｃを補強しているが、天井部１２ｆから遠い側の補強リブ１２ｊは短いものになっていて第二凸部１２ｂのみを補強するようになっている。また、図１０（Ｃ）に示す第十四の実施の形態のものは、第一、第二凸部１２ｂ、１２ｃに対応して点状の補強突起１２ｋが突出形成されているが、第一凸部１２ｂを補強する補強突起１２ｋは小さく、第二凸部１２ｃを補強する補強突起１２ｋは大きいものに設定されている。さらに図１０（Ｄ）に示す第十五の実施の形態のものは、前記（Ｃ）に示すものとは逆の配置で補強突起１２ｌが設けられたものであり、第二凸部１２ｃを補強する補強突起１２ｌはインナーキャップ１２の軸方向に長い楕円形状となっている。
【００２４】
このように補強部を形成する場合、該補強部は、抵抗が大きい第二抵抗部を少なくとも補強すればよく、第一抵抗部の補強をするか否かについては任意に設定でき、また補強部の具体的形状や数、位置についても任意に設定することができ、この場合に、補強される抵抗部の拡開変形を邪魔しないよう抵抗部の一部が補強部からはみ出す部位があるように設定して抵抗部の変形代を確保するように設定することが好ましい。
【００２５】
また、図１１に示す第十六の実施の形態のように、インナーキャップ１２を、上側である最奥端部１２ａに近い側の部位を、本発明のインナーキャップの細筒部であるところの内径の小さい小径部１２ｍに形成し、下側である開口端部１２ｎに近い側の部位を、本発明のインナーキャップの太筒部であるところの内径の大きい大径部１２ｐに形成して構成する一方、インナーキャップ１２が覆蓋する容器本体１の被覆蓋部１３には、被覆蓋部上側に備えられた把持筒４を、本発明の被覆蓋部の細筒部であるところの小径部１３ａとし、被覆蓋部下側であり把持筒４の外周面側に備えられた袴筒３を、本発明の被覆蓋部の太筒部であるところの大径部１３ｂとして構成して、第一抵抗部を小径部１２ｍの内径面側に形成し、第二抵抗部を大径部１２ｐに形成したものとして構成してもよい。
【００２６】
このものでは、小径部１２ｍのインナーキャップ内周面側かつ最奥部１２ａに、第一抵抗部である第一凸部１２ｑが軸方向に長く周回り方向適宜角度を存して複数個（本実施の形態では３個）形成され、大径部１２ｐの内周面側に第二抵抗部である半球状の第二凸部１２ｒが周回り方向適宜角度を存して複数個（本実施の形態では３個）形成されている。そして、第二凸部１２ｒは、第一凸部１２ｑよりも容器本体との摺動抵抗が大きくなるよう設定されている（図１２（Ａ）参照）。
尚、本実施の形態では、第一凸部１２ｑと第二凸部１２ｒとは、軸方向同一線上とならないように配しているが、第一凸部１２ｑと第二凸部１２ｒの配置はこれに限定されることはなく、また形状も種々なものにすることができる。
また、第一凸部１２ｑおよび第二凸部１２ｒの外周面側とキャップ本体１１のあいだには隙間Ｓが形成され、この隙間Ｓが、容器本体１が第一凸部１２ｑおよび第二凸部１２ｒに押圧状に摺接したときの拡開変形を許容する変形代となっていることは、第一の実施の形態と同様である。
【００２７】
そして、容器本体１に、インナーキャップ１２が内嵌したキャップ１０を覆蓋していくと、被覆蓋部の小径部１３ａである把持筒４の先端４ａおよび外周面４ｂがインナーキャップ１２の小径部１２ｍに形成の第一凸部１２ｑに押圧状に摺接し、さらにキャップ１０を覆蓋していくと、被覆蓋部大径部１３ｂである袴筒３の上端部３ｂが大径部１２ｐに形成の第二凸部１２ｒに押圧状に摺接する。そして、上端部３ｂが第二凸部１２ｒを乗り越えることで容器本体１はキャップ１０に全覆蓋されることになるが（図１２（Ｂ）参照）、ここで、第二凸部１２ｒは第一凸部１２ｑよりも抵抗が大きいものになっていることから、第二凸部１２ｒを乗り越えるためには、把持筒４の先端４ａが第一凸部１２ｑに摺接するときよりも強い覆蓋力で覆蓋されることになり、これによってキャップ１０の下端部が袴筒３に形成された段差部３ａに衝撃的に当接することによる「パチン」という衝突音（クリック音）が発生する。
【００２８】
このように構成することによって、第一凸部１２ｑである第一抵抗部と第二凸部１２ｒである第二抵抗部とはインナーキャップ１２の上下両端に形成されるため、容器本体の外観はすっきりしたものでありながらバランスの良い抵抗とすることができる。
尚、第一凸部１２ｑおよび第二凸部１２ｒが形成された部位の外周面側には、第十一の実施の形態のものと同様に、小径状部１２ｓが上端側に向けて傾斜状に面取り形成されており、このうち、第二凸部１２ｒの外周面側に形成された小径状部１２ｓの面部には、第二凸部１２ｒを補強するための補強リブ１２ｔが突出形成されている。このよう構成することによって頻度の高い使用や高温雰囲気下での使用による永久変形状態を防止するようになっている。
【００２９】
また、図１３、図１４に示す第十七の実施の形態のものは、把持筒１５の先端１５ａが側面視で傾斜状であって、該把持筒１５の下側に設けられている袴筒１６は、上側が一辺の短い細角筒１６ａであり、下側が一辺の長い太角筒１６ｂとなっており、該太角筒１６ｂの上面は段差部１６ｃに形成され、キャップ覆蓋時には、該段差部１６ｃにキャップ１７の開口端１９ａが当接することによって、キャップ１７の全覆蓋がなされるよう構成されている。この場合、インナーキャップ１８は、上側が有天円筒部１８ａであり、下側が四角筒１８ｂであって、キャップ１７で容器本体１４を覆蓋する際には、インナーキャップ１８の有天円筒部１８ａが把持筒１５に外嵌し、四角筒１８ｂが袴筒１６の細角筒１６ａに外嵌するようになっている。
【００３０】
ところで、前記把持筒１５の先端１５ａが傾斜状の容器本体１４にあっては、図１５に示すように、例えばインナーキャップ１８の有天円筒部１８ａの内側に形成される３つの第一凸部１８ｃが、最奥端部１８ｄから開口端１８ｅに向けて長尺の凸条であって、円周方向互いに１２０度の角度を存して突出形成されている場合、インナーキャップ１８で把持筒１５を覆蓋する際に、把持筒１５の先端１５ａが最も高くなっている最上部部位１５ｂに第一凸部１８ｃ−１が摺接する場合（図１５（Ａ）参照）と、最も低くなっている最下部部位１５ｃに第一凸部１８ｃ−１が摺接する場合（図１５（Ｂ）参照）とでは、第一凸部１８と把持筒１５の外周面との当接長さが異なる。つまり、最上部部位１５ｂで第一凸部１８ｃ−１が摺接した場合は、把持筒外周面に対する第一凸部１８ｃ−１の摺接する長さはＡであり、第一凸部１８ｃ−２および第一凸部１８ｃ−３の摺接する長さはそれぞれＢである。これに対し、最下部部位１５ｃで第一凸部１８ｃ−１が摺接した場合は、把持筒外周面に対する第一凸部１８ｃ−１の摺接する長さはＣであり、第一凸部１８ｃ−２および第一凸部１８ｃ−３の摺接する長さはそれぞれＤである。このようにインナーキャップ１８を把持筒１５に覆蓋する際、把持筒１５の先端１５ａの傾斜の向きと第一凸部１８ｃとの周回りの位置関係が異なることによって、把持筒１５の周回り方向および軸芯方向の摺動抵抗が異なるものとなり、結果として、容器本体１４がインナーキャップ１８に形成される第一凸部１８ｃの摺動抵抗のみを受けて覆蓋される場合は、キャップ１７が偏った状態で覆蓋されることになる。
【００３１】
このように把持筒１５の先端１５ａが傾斜状の容器本体１４にあっては、第一凸部１８ｃの把持筒１５に対する覆蓋はバランスの悪いものとなるため、第二凸部１８ｆによる袴筒１６への摺動によって偏りを補正する必要がある。そこで、図１６（Ａ）、（Ｂ）に示すように、第二凸部１８ｆを、インナーキャップ１８の開口端１８ｅである四角筒１８ｂに形成した。つまり、四角筒１８ｂの内側面に形成される四つの角部１８ｇのうち、２つの互いに対向する角部１８ｇの左右両側であって角部１８ｇに偏寄する位置に第二凸部１８ｆを突出形成させ、該第二凸部１８ｆによって、第一凸部１８ｃよりも大きな摺動抵抗を被覆蓋部に付与するよう構成した。
【００３２】
このように構成することで、たとえ把持筒１５の先端１５ａが傾斜状となった容器本体１４であって、第一凸部１８ｃでは摺動抵抗に偏りが生じたとしても、インナーキャップの四角筒１８ｂに形成された第二凸部１８ｆによって偏りが補正され、全体としてバランスの取れた摺動抵抗とすることができる。
しかも第二凸部１８ｆが形成される四角筒１８ｂの角部１８ｇは、構造上平面部１８ｈよりも強度的に優れているため、第二凸部１８ｆには第一凸部１８ｃの摺動抵抗よりも強い摺動抵抗を付与し、全覆蓋時にクリック音が発生することは他の実施の形態と同様である。
【００３３】
尚、本実施の形態では、把持筒１５の先端１５ａを傾斜状に構成したが、これに限定されることはなく、先端１５ａが水平状のものであっても同じように実施することができる。この場合は、第一凸部１８ｃによる摺動抵抗の偏りは生じないため、第二凸部１８ｆに偏りの補正という役割を持たせる必要はないが、第一凸部１８ｃと第二凸部１８ｆとをそれぞれインナーキャップ１８の上側である有天円筒部１８ａと下側である四角筒１８ｂとに形成することによって、第一抵抗部と第二抵抗部とが離間した位置に形成されることになり、キャップ１７の容器本体１４に対する覆蓋をより確りとしたものにすることができる。
また、本実施の形態では、袴筒１６が角筒形状の場合においてインナーキャップ１８が該袴筒１６に対して摺動抵抗を付与するものに構成したが、袴筒１６が角筒形状ではなく例えば円筒形状であっても適用することができ、また種々の形状の容器本体に適用が可能である。
【００３４】
さらに、第二凸部１８ｆが形成される部位は、互いに対向する角部１８ｇに限定されるものではなく、図１７（Ａ）に示す第十八の実施の形態のように、すべての角部１８ｆに形成しても良く、図１７（Ｂ）に示す第十九の実施の形態のように、これら全ての角部１８ｇの片側端（ここでは角部から見て右側）のみに突出形成したものに構成しても良い。また、図１７（Ｃ）に示す第二十の実施の形態のように、四角筒１８ｂの平面部１８ｈにあって、やや四角筒１８ｂよりに偏寄した位置に形成しても良く、これらの実施の形態によっても全覆蓋時にクリック音が発生することは他の実施の形態と同様である。
【００３５】
また、第二十一の実施の形態として、図１８（Ａ）、（Ｂ）に示すように、細筒部と太筒部とで構成されるインナーキャップ１８の太筒部である四角筒１８ｂに第一凸部１８ｃおよび第二凸部１８ｆが共に形成されたものに構成しても良い。本実施の形態においては、第一凸部１８ｃは、四角筒１８ｂの互いに対角位置にある一対の角部１８ｇにあって、該角部１８ｇの両側かつ該角部１８ｇに偏寄した位置に、四角筒１８ｂの内側に向けて突出形成される。そして、該角部１８ｇと第一凸部１８ｃとのあいだには、それぞれ第一凸部１８ｃより突出量が多い第二凸部１８ｆが同じく四角筒１８ｂの内側に向けて突出形成され、これによって都合４つの第一凸部１８ｃ、第二凸部１８ｆが、角部１８ｇを中心に互いに対向して突出形成されている。尚、第二十一の実施の形態の変形例として、四角筒１８ｂに形成される第一凸部１８ｃおよび第二凸部１８ｆを、図１８（Ｃ）に示されるように対角位置にある各角部１８ｇを挟む状態で対となるように設けたものとして実施してもよいことは勿論である。
【００３６】
そして、インナーキャップ１８で容器本体１４を覆蓋していくと（図１９（Ａ）参照）、まず袴筒１６に形成される細角筒１６ａの上側端１６ｄがインナーキャップ１８の四角筒１８ｂに形成された第一凸部１８ｃに摺動してインナーキャップ１８に第一の摺動抵抗が付与され（図１９（Ｂ）参照）、ここからさらにインナーキャップ１８を覆蓋していくと、四角筒１８ｂは第一凸部１８ｃによって摺動抵抗が付与された状態で第二凸部１８ｆに摺動し、これによって第一の摺動抵抗より強い第二の摺動抵抗が付与される（図１９（Ｃ）参照）。この第二の摺動抵抗が与えられたとき、第二の摺動抵抗に抗して全覆蓋するための強い覆蓋力が与えられることによって上側端１６ｄは第二凸部１８ｆを一気に乗り越え、この乗り越えによる急激な覆蓋によって、キャップ１７の開口端１９ａが袴筒１６の段差部１６ｃに衝撃的に当接し、これによって全覆蓋時にクリック音が発生することは他の実施例と同様である。
【００３７】
このように、第一凸部１８ｃ、第二凸部１８ｆを太筒部である四角筒１８ｂに形成することにより、細筒部である有天円筒部１８ａでは摺動抵抗が付与されず、太筒部である下側の四角筒１８ｂで第一、第二の摺動抵抗を付与することになるため、たとえ把持筒１５の先端１５ａが傾斜状の容器本体１４であって、把持筒先端１５ａの傾斜の向きが第一凸部１８ｃに対して周回りの位置関係が異なったとしても、第一および第二の摺動抵抗がそれぞれ変化することなく何れも同じになって、確りとした覆蓋をすることができる。尚、第一、第二凸部１８ｃ、１８ｆは、第一凸部１８ｃの下端部が第二凸部１８ｆの下端部よりインナーキャップ１８の開口端１８ｅに近くなるように形成されれば良いのであって、形状および数が本実施の形態によって特に限定されるものではない。
【００３８】
また、本実施の形態においては、第一凸部１８ｃおよび第二凸部１８ｆを、インナーキャップ１８の他の部位よりも強度的に優れた四角筒１８ｂの角部１８ｇ近傍に形成したことにより、第一、第二凸部１８ｃ、１８ｆの拡開変形を防止できて、確実な摺動抵抗を確保することが出来る。
【００３９】
第二十一の実施の形態においては、第一凸部１８ｃおよび第二凸部１８ｆを、共に四角筒１８ｂの角部１８ｇに偏寄した位置に形成したが、必ずしも第一、第二凸部１８ｃ、１８ｆを共に角部１８ｇに偏寄させる必要はなく、以下に詳述する第二十二の実施の形態のように形成しても良い。
つまり、図２０（Ａ）、（Ｂ）に示すように、互いに隣接する角部１８ｇのあいだに形成される隣接角部間である面部１８ｊには、周回り方向（図面で左右方向）中央部位に第二抵抗部である第二凸部１８ｉが形成され、該第二凸部１８ｉと角部１８ｇとのあいだ、つまり、面部１８ｊの中央部位よりも両角部１８ｇ側に偏寄した位置には、第一凸部１８ｈがそれぞれ一つずつ形成される。該第一凸部１８ｈは、共に第二凸部１８ｉよりも下端部がインナーキャップ１８の開口端１８ｅに近く、かつ第二凸部１８ｉよりも四角筒１８ｂの内側への突出量が少ないものに形成されている。そして、面部１８ｊの対向面である面部１８ｋにも同様にして面部１８ｋの中央部位に第二凸部１８ｉが形成されるとともに、該第二凸部１８ｉと両角部１８ｇとのあいだには、第一凸部１８ｈがそれぞれ一つずつ形成される。このようにして、四角筒１８ｂの内側に都合４つの第一凸部１８ｈ、２つの第二凸部１８ｉが形成され、覆蓋過程において、第一凸部１８ｈおよび第二凸部１８ｉが第一、第二の摺動抵抗を順次付与していくことは、前述した第二十一の実施の形態と同様である。
【００４０】
尚、本実施の形態におけるインナーキャップには、本発明の第十一の実施の形態であるインナーキャップと同様に、第二凸部１８ｉの補強部である平板状の補強リブ１８ｍが、第二凸部１８ｉが形成された面部１８ｊ、１８ｋの外側面に形成されており、これによって摺動抵抗のより強い第二凸部１８ｉが長期の使用や頻度の高い使用或いは高温雰囲気下での使用等によって拡開変形した状態のまま元の姿勢に戻らなくなって機能が失われてしまうことを防止している。
【００４１】
ここで、四角筒１８ｂにおける第一凸部１８ｈおよび第二凸部１８ｉが形成される位置は、本実施の形態に限定されるものではなく、第二凸部１８ｉが互いに隣接する角部１８ｇのあいだの面部１８ｊの中央部に形成され、第一凸部１８ｈが角部１８ｇに偏寄した位置に形成されたものであれば良く、例えば、図２１（Ａ）に示す第二十三の実施の形態のように、第一凸部１８ｈを、対向する一組の面部である面部１８ｎ、１８ｐにそれぞれ２つずつ形成し、第二凸部１８ｉを、対向する他の一組の面部である面部１８ｊ、１８ｋにそれぞれ１つずつ形成しても良い。この場合、第一、第二凸部１８ｈ、１８ｉは互いに対向位置となるよう配されて形成される。
また、図２１（Ｂ）に示す第二十四の実施の形態のように、全ての面部１８ｊ、１８ｎ、１８ｋ、１８ｐに第一凸部１８ｈ、第二凸部１８ｉを１つずつ形成しても良い。この場合、４つの第一凸部１８ｈは、周回り方向等角度おきに形成される。
さらに、図２１（Ｃ）に示す第二十五の実施の形態のように、全ての面部１８ｊ、１８ｎ、１８ｋ、１８ｐに第一凸部１８ｈを２つずつ、第二凸部１８ｉを１つずつ形成しても良い。この場合、第一、第二凸部１８ｈ、１８ｉは共に四角筒１８ｂの内側において互いに対向位置となるように形成される。
【００４２】
ところで、前述した第二十二の実施の形態のように、第一、第二凸部１８ｈ、１８ｉを対向する一組の面部１８ｊ、１８ｋに形成し、他の一組の面部である面部１８ｎ、１８ｐには摺動抵抗を付与するようなものを何も形成しなかった場合、覆蓋過程において容器本体１４が第一、第二凸部１８ｈ、１８ｉを外方に押し出そうとする力として作用するため、これによって第一、第二凸部１８ｈ、１８ｉが形成された面部１８ｊ、１８ｋが四角筒１８ｂの外方にむけて拡張してしまい、この拡張に引張られるようにして面部１８ｎ、１８ｐが容器本体１４に密着するような変形をし、インナーキャップ１８の覆蓋時における操作性が悪くなってしまう可能性がある。
このため、図２２に示す第二十六の実施の形態のように、第一、第二凸部１８ｈ、１８ｉを一組の面部１８ｊ、１８ｋだけにそれぞれ形成した場合には、他の一組の面部１８ｎ、１８ｐに、四角筒１８ｂの内側に向けて突出する、本発明の第三抵抗部であるところの第三凸部１８ｑを形成するようにして構成した。
ここで第三凸部１８ｑは、四角筒内側への突出量が第一凸部１８ｈ、第二凸部１８ｉよりも少なく、また、第三凸部１８ｑの下端部は、第一凸部１８ｈの下端部よりはインナーキャップ１８の開口端１８ｅから遠く、第二凸部１８ｈの下端部よりはインナーキャップ１８の開口端１８ｅから近い長さに形成されている。
このように第三凸部１８ｑを形成することによって、第一、第二凸部１８ｈ、１８ｉに、容器本体１４が押圧状に摺接して面部１８ｊ、１８ｋが外方へ拡開する方向の力が働いた場合であっても、面部１８ｊ、１８ｋに引張られて面部１８ｎ、１８ｐ全体が容器本体１４に密着することなく、第三凸部１８ｑが容器本体１４と摺接して面部１８ｎ、１８ｐのこれ以上の変形を規制することができると共に、長期使用に基づき塑性変形が発生してキャップ１０の完全覆蓋時に発生するクリック音の音量が低下したりクリック音が消失してしまうことがないようにしている。
これによって、インナーキャップ１８が容器本体１４を覆蓋していく際には、まずインナーキャップ１８の第一凸部１８ｈが容器本体に摺接し、次に第二凸部１８ｉに摺接する。このとき、第三凸部１８ｑは、面部１８ｎ、１８ｐの変形に応じて容器本体１４に摺接し、これによって、四角筒１８ｂが覆蓋の操作性が悪くなる程に拡開変形してしまうことがない。
【００４３】
尚、本実施の形態にあっては、インナーキャップ１１の第三凸部１８ｑの形成部位とキャップ本体１１とのあいだにインナーキャップ１８の拡開変形を許容するための隙間Ｓが形成されていると共に、第三凸部１８ｑが形成される四角筒１８ｂの外側にも平板状の補強リブ１８ｒが形成され、この補強リブ１８ｒによって、第三凸部１８ｑの形成部位における面部１８ｎ、１８ｐの外方への拡開変形も防止できるよう配慮されている。
【００４４】
さらに、第二十七の実施の形態として、図２３（Ａ）、（Ｂ）に示すように、第一凸部１８ｃを太筒部である四角筒１８ｂに形成し、第二凸部１８ｆを細筒部である有天円筒部１８ａの最奥端部１８ｄに形成してもよい。本実施の形態においては、第一凸部１８ｃは四角筒１８ｂの一対の対向する角部１８ｇにあって、該角部１８ｇの両側かつ該角部１８ｇに偏寄した位置にそれぞれひとつずつ形成され、第二凸部１８ｆは有天円筒部１８ａの最奥端部１８ｄにあって、四角筒１８ｂの角部１８ｇと角部１８ｇとの中間位置に対応する位置に都合４つ形成される。ここで、第二凸部１８ｆは、第一凸部１８ｃよりも強い第二摺動抵抗を把持筒１５に付与することが出来る突出量で突出形成されている。
【００４５】
尚、第一凸部１８ｃの四角筒１８ｂにおける形成位置、および第二凸部１８ｆの有天円筒部１８ａの最奥端部１８ｄにおける形成位置は本実施の形態に限定されるものではなく、第一凸部１８ｃが四角筒１８ｂに形成され、第二凸部１８ｆが該最奥端部１８ｄに形成されるものであれば形成位置や形状は任意であってよい。また、第一、第二凸部の数もこれに限定されるものではなく、２つ、或いは３つ等任意の数に形成できることは勿論である。
【００４６】
そして、インナーキャップ１８で容器本体１４を覆蓋していくと（図２４（Ａ）参照）、まず袴筒１６の細四角筒１６ａがインナーキャップ１８の四角筒１８ｂに形成された第一凸部１８ｃに摺動してインナーキャップ１８に第一の摺動抵抗が付与され（図２４（Ｂ）参照）、ここからさらにインナーキャップ１８を覆蓋していくと、インナーキャップ１８は、第一凸部１８ｃが袴筒１６に摺動することによって摺動抵抗が付与された状態で第二凸部１８ｆが把持筒１５の先端１５ａに摺動し、これによって、第一凸部１８ｃの摺動抵抗よりも強い第二の摺動抵抗が付与される（図２４（Ｃ）参照）。この第二の摺動抵抗が与えられた状態で全覆蓋するために強い覆蓋力を与えることによって全覆蓋がなされ（図２４（Ｄ）参照）、この全覆蓋時にクリック音が発生することは他の実施の形態と同様である。
【００４７】
本実施の形態におけるこのような構成は、前述したような把持筒１５の先端１５ａが傾斜状の場合には適さないが、先端１５ａが水平状である場合は、先端１５ａに第二の摺動抵抗を付与することによって、第一凸部１８ｃである第一抵抗部と第二凸部１８ｆである第二抵抗部とがインナーキャップ１８の上下両端に形成されるため、第１６の実施の形態と同様に、容器本体の外観をすっきりしたものとしながらバランスの良い抵抗とすることができる。
【００４８】
また、前述の第十七から第二十七の実施の形態において、インナーキャップ１８と容器本体１４との太筒部を四角筒にしたが、これに限定されるものでなく、六角筒、八角筒等の多角筒にしても良く、さらには丸筒にしても本発明を実施することができる。さらにまた、これらのものを実施する場合に、第十一の実施の形態のように、インナーキャップ１８の第一凸部１８ｃ及び第二凸部１８ｆに対応する位置とキャップ本体１９とのあいだに隙間を形成するよう構成して、覆蓋時における第一、第二凸部１８ｃ、１８ｆの拡開変形を許容するための変形代を形成することや、該隙間に向けて突出する補強材をインナーキャップ１８の外側に設けて、頻度の高い覆蓋によって第一、第二凸部１８ｃ、１８ｆが永久変形状態となることを防止するように構成しても良いことは勿論である。
【産業上の利用可能性】
【００４９】
本発明は、口紅等の棒状（スティック状）の化粧料を収納するための棒状化粧料容器の技術分野に属するものである。
【符号の説明】
【００５０】
１        容器本体
１０      キャップ
１２ｂ    第一凸部
１２ｃ    第二凸部
【図１】
0005518448.tif 000002
【図２】
0005518448.tif 000003
【図３】
0005518448.tif 000004
【図４】
0005518448.tif 000005
【図５】
0005518448.tif 000006
【図６】
0005518448.tif 000007
【図７】
0005518448.tif 000008
【図８】
0005518448.tif 000009
【図９】
0005518448.tif 000010
【図１０】
0005518448.tif 000011
【図１１】
0005518448.tif 000012
【図１２】
0005518448.tif 000013
【図１３】
0005518448.tif 000014
【図１４】
0005518448.tif 000015
【図１５】
0005518448.tif 000016
【図１６】
0005518448.tif 000017
【図１７】
0005518448.tif 000018
【図１８】
0005518448.tif 000019
【図１９】
0005518448.tif 000020
【図２０】
0005518448.tif 000021
【図２１】
0005518448.tif 000022
【図２２】
0005518448.tif 000023
【図２３】
0005518448.tif 000024
【図２４】
0005518448.tif 000025